(57)【要約】      （修正有）【課題】位置情報要請者の位置要請がある場合、位置情報提供者の現在位置を探索して該当要請者に該当位置情報を迅速でかつ正確に提供することができる非周期的更新基盤ユーザ位置情報処理方法を提供する。【解決手段】位置情報提供端末に位置測定センサー（ＧＰＳ）の制御権を有する位置処理エージェントの設置を要請するステップ、位置情報要請端末から少なくとも一つの位置情報提供端末に関する承認要請を受信し、少なくとも一つの位置情報提供端末に承認要請の許諾を承認するリンクメッセージを提供するステップ、位置情報要請端末から特定位置情報提供端末に関する位置要請が受信されれば、該当位置処理エージェントに該当位置情報を要請するステップ、及び該当位置処理エージェントにより位置測定センサーが成功的に制御されれば、該当位置処理エージェントから特定位置情報提供端末の位置情報を受信するステップを含む。【選択図】図３
2018157536.tif 000002
【特許請求の範囲】
【請求項１】
位置情報要請端末及び少なくとも一つの位置情報提供端末と連結されたユーザ位置情報処理サーバーで遂行される非周期的更新基盤ユーザ位置情報処理方法であって、
（ａ）前記少なくとも一つの位置情報提供端末に位置測定センサー（ＧＰＳ）の制御権を有する位置処理エージェントの設置を要請するステップと、
（ｂ）前記位置情報要請端末から前記少なくとも一つの位置情報提供端末に関する承認要請を受信し、前記少なくとも一つの位置情報提供端末に前記承認要請の許諾を承認するリンクメッセージを提供するステップと、
（ｃ）前記位置情報要請端末から特定位置情報提供端末に関する位置要請が受信されれば、該当位置処理エージェントに該当位置情報を要請するステップと、
（ｄ）前記該当位置処理エージェントにより前記位置測定センサーが成功的に制御されれば、前記該当位置処理エージェントから前記特定位置情報提供端末の位置情報を受信するステップと、
を含む、非周期的更新基盤ユーザ位置情報処理方法。
【請求項２】
前記（ｃ）ステップは、
前記位置要請の受信時点が最近の位置要請の提供時点から第１特定時間以内の場合には、前記特定位置情報提供端末の最近の位置情報を提供するステップをさらに含むことを特徴とする、請求項１に記載の非周期的更新基盤ユーザ位置情報処理方法。
【請求項３】
前記（ｃ）ステップは、
前記位置要請の受信時点が最近の位置要請の提供時点から前記第１特定時間より大きい第２特定時間以内の場合には、前記特定位置情報提供端末の移動場所の特性を決定して前記特定位置情報提供端末の最近の位置情報を提供するか否か、または前記該当位置処理エージェントから新しく位置情報を受信するか否かを決定するステップをさらに含むことを特徴とする、請求項２に記載の非周期的更新基盤ユーザ位置情報処理方法。
【請求項４】
前記（ｄ）ステップは、
前記位置測定センサーの故障によって前記制御が失敗すれば、前記該当位置情報提供端末と関連した少なくとも一つの基地局に関する識別子と該当基地局からの信号受信強さを受信して前記該当位置情報提供端末の位置を以下の数式に基づいて推定するステップをさらに含むことを特徴とする、請求項１に記載の非周期的更新基盤ユーザ位置情報処理方法。
【数１】
2018157536.tif 000005
ここで、Ｌは前記該当位置情報提供端末の前記推定位置、Ｌｉは基地局ｉの位置、Ｄｉは前記該当位置情報提供端末の最近の位置と基地局ｉとの間の距離、ｋは相関係数、Ｓｉは基地局ｉからの信号受信強さ、ｍａｘ｛Ｓｉ｝は基地局ｉからの信号受信強さのうち、最も大きい信号受信強さに該当する。
【請求項５】
前記（ｄ）ステップは、
前記位置測定センサーのバッテリー不足によって前記制御が失敗すれば、前記該当位置処理エージェントに現在位置の入力を要求する位置要請メッセージを提供するステップをさらに含むことを特徴とする、請求項１に記載の非周期的更新基盤ユーザ位置情報処理方法。
【請求項６】
前記（ｄ）ステップは、
前記受信された位置情報がユーザにより指定された安心ゾーンを離脱するか、または前記ユーザにより指定された非安心ゾーンに進入した場合には、前記位置情報要請端末にお知らせメッセージを提供するステップをさらに含むことを特徴とする、請求項１に記載の非周期的更新基盤ユーザ位置情報処理方法。
【請求項７】
前記（ｄ）ステップは、
前記受信された位置情報が該当位置での最初受信時点から第３特定時間の間変化がない場合には、前記位置情報要請端末にお知らせメッセージを提供するステップをさらに含むことを特徴とする、請求項１に記載の非周期的更新基盤ユーザ位置情報処理方法。
【発明の詳細な説明】
【技術分野】
【０００１】
本発明は非周期的更新基盤ユーザ位置情報処理技術に関し、より詳しくは、一方端末の位置探索要請がある場合、対象端末の位置を探索して提供することができる非周期的更新基盤ユーザ位置情報処理方法に関する。
【背景技術】
【０００２】
子供を育てる父母は、子供を安全に保護することができ、子供の位置を容易に把握することができる方法を希望する。子供に対する位置把握技術は子供に名札を付けてあげる方式からスマートフォンを用いる技術に発展してきた。最近、発売されたスマートフォンは位置測定センサー、即ちＧＰＳを基本に取り付けている。スマートフォンに取り付けられたＧＰＳは正確度が高いという長所を有するが、バッテリー消耗が多いという短所を有している。
【０００３】
韓国公開特許公報第１０−２０１３−００２２５５０号は、被疑者追跡システムにおいて、被疑者の両手首にかけられて、衛星から手錠の位置を受信して近距離通信で転送する追跡装置を備えた手錠、前記受信された手錠の位置を地図上に表示して画面に出力し、前記手錠の位置が受信されない場合、前記受信されない前の受信された手錠の最終位置及び衛星から受信された自身の位置をスマートフォン通信網に転送する追跡用スマートフォン及び前記スマートフォン通信網に連結され、前記受信された手錠の最終位置及び追跡用スマートフォンの位置を前記スマートフォン通信網に連結された他の多数の追跡用スマートフォンに転送する管制センターサーバーを含む被疑者追跡方法を記述する。
【０００４】
韓国登録特許公報第１０−１５１８１１４号は、スマートフォン基盤位置追跡システムに関し、具体的には、高層建物の室内または人で混んでいる公共場所でセンサー端末機を所持した人、または愛玩動物の現在位置や移動経路の情報を近距離無線通信を通じて容易に認知することができるスマートフォン基盤位置追跡システムに関する。
【先行技術文献】
【特許文献】
【０００５】
【特許文献１】韓国公開特許第１０−２０１３−００２２５５０号公報
【特許文献２】韓国登録特許第１０−１５１８１１４号公報
【発明の概要】
【発明が解決しようとする課題】
【０００６】
本発明の目的は、位置情報要請者の位置要請がある場合、位置情報提供者の現在位置を探索して該当要請者に該当位置情報を迅速でかつ正確に提供することができる非周期的更新基盤ユーザ位置情報処理方法を提供することにある。
【０００７】
本発明の他の目的は、位置情報提供者の位置変動を感知し、該当提供者の基本情報に基づいて現在位置が安心していられる位置なのかを判別し、その結果を位置情報要請者に知らせることができる非周期的更新基盤ユーザ位置情報処理方法を提供することにある。
【課題を解決するための手段】
【０００８】
実施形態のうち、非周期的更新基盤ユーザ位置情報処理方法は、前記少なくとも一つの位置情報提供端末に位置測定センサー（ＧＰＳ）の制御権を有する位置処理エージェントの設置を要請するステップ、前記位置情報要請端末から前記少なくとも一つの位置情報提供端末に関する承認要請を受信し、前記少なくとも一つの位置情報提供端末に前記承認要請の許諾を承認するリンクメッセージを提供するステップ、前記位置情報要請端末から特定位置情報提供端末に関する位置要請が受信されれば、該当位置処理エージェントに該当位置情報を要請するステップ、及び前記該当位置処理エージェントにより前記位置測定センサーが成功的に制御されれば、前記該当位置処理エージェントから前記特定位置情報提供端末の位置情報を受信するステップを含む。
【０００９】
前記該当位置処理エージェントに該当位置情報を要請するステップは、前記位置要請の受信時点が最近の位置要請の提供時点から第１特定時間以内の場合には、前記特定位置情報提供端末の最近の位置情報を提供するステップをさらに含むことができる。
【００１０】
前記該当位置処理エージェントに該当位置情報を要請するステップは、前記位置要請の受信時点が最近の位置要請の提供時点から前記第１特定時間より大きい第２特定時間以内の場合には、前記特定位置情報提供端末の移動場所の特性を決定して前記特定位置情報提供端末の最近の位置情報を提供するか否か、または前記該当位置処理エージェントから新しく位置情報を受信するか否かを決定するステップをさらに含むことができる。
【００１１】
前記特定位置情報提供端末の位置情報を受信するステップは、前記位置測定センサーの故障によって前記制御が失敗すれば、前記該当位置情報提供端末と関連した少なくとも一つの基地局に関する識別子と該当基地局からの信号受信強さを受信して前記該当位置情報提供端末の位置を次の数１に基づいて推定するステップをさらに含むことができる。
【００１２】
【数１】
2018157536.tif 000003
【００１３】
ここで、Ｌは前記該当位置情報提供端末の前記推定位置、Ｌｉは基地局ｉの位置、Ｄｉは前記該当位置情報提供端末の最近の位置と基地局ｉとの間の距離、ｋは相関係数、Ｓｉは基地局ｉからの信号受信強さ、ｍａｘ｛Ｓｉ｝は基地局ｉからの信号受信強さのうち、最も大きい信号受信強さに該当する。
【００１４】
前記特定位置情報提供端末の位置情報を受信するステップは、前記位置測定センサーのバッテリー不足により前記制御が失敗すれば、前記該当位置処理エージェントに現在位置の入力を要求する位置要請メッセージを提供するステップをさらに含むことができる。
【００１５】
前記特定位置情報提供端末の位置情報を受信するステップは、前記受信された位置情報がユーザにより指定された安心ゾーンを離脱するか、または前記ユーザにより指定された非安心ゾーンに進入した場合には、前記位置情報要請端末にお知らせメッセージを提供するステップをさらに含むことができる。
【００１６】
前記特定位置情報提供端末の位置情報を受信するステップは、前記受信された位置情報が該当位置での最初受信時点から第３特定時間の間変化がない場合には、前記位置情報要請端末にお知らせメッセージを提供するステップをさらに含むことができる。
【発明の効果】
【００１７】
開示された技術は、次の効果を有することができる。但し、特定実施形態が次の効果を全部含まなければならないとか、次の効果のみを含まなければならないという意味ではないので、開示された技術の権利範囲はこれによって制限されると理解されてはならない。
【００１８】
本発明の一実施形態に係る非周期的更新基盤ユーザ位置情報処理方法は、位置情報要請者の位置要請がある場合、位置情報提供者の現在位置を探索して該当要請者に該当位置情報が迅速でかつ正確に提供できる技術を提供することができる。
【００１９】
本発明の一実施形態に係る非周期的更新基盤ユーザ位置情報処理方法は、位置情報提供者の位置変動を感知し、該当提供者の基本情報に基づいて現在位置が安心していられる位置なのかを判別し、その結果を位置情報要請者に知らせることができる技術を提供することができる。
【図面の簡単な説明】
【００２０】
【図１】本発明の一実施形態に係るユーザ位置情報処理システムを説明する図である。
【図２】図１の位置情報処理サーバーを説明するブロック図である。
【図３】図２の位置情報処理サーバーで位置情報提供端末の位置情報を受信する過程を説明するフローチャートである。
【図４】図１の位置情報処理サーバーで位置情報要請端末に位置情報提供端末の位置情報を提供する過程の一実施形態を説明する図である。
【発明を実施するための形態】
【００２１】
本発明に関する説明は構造的または機能的説明のための実施形態に過ぎないので、本発明の権利範囲は本文に説明された実施形態によって制限的に解析されてはならない。即ち、実施形態は多様な変更が可能であり、多様な形態を有することができるので、本発明の権利範囲は技術的思想を実現することができる均等物を含むものとして理解されるべきである。また、本発明で提示された目的または効果は、特定の実施形態がこれを全部含まなければならないとか、そのような効果のみを含まなければならないという意味ではないので、本発明の権利範囲はこれによって制限されるものとして理解されてはならない。
【００２２】
一方、本出願で叙述される用語の意味は、次のように理解されるべきである。
【００２３】
“第１”、“第２”などの用語は一つの構成要素を他の構成要素から区別するためのものであって、これら用語により権利範囲が限定されてはならない。例えば、第１構成要素は第２構成要素として命名されることができ、同様に第２構成要素も第１構成要素として命名できる。
【００２４】
ある構成要素が他の構成要素に“連結されて”いると言及された時には、該他の構成要素に直接的に連結されることもあるが、中間に他の構成要素が存在することもあると理解されるべきである。一方、ある構成要素が他の構成要素に“直接連結されて”いると言及された時には、中間に他の構成要素が存在しないことと理解されるべきである。一方、構成要素の間の関係を説明する他の表現、即ち“〜間に”と“直ぐ〜間に”または“〜に隣り合う”と“〜に直接隣り合う”なども同様に解析されるべきである。
【００２５】
単数の表現は文脈上、明白に異なる意味を有しない限り、複数の表現を含むと理解されるべきであり、“含む”または“有する”などの用語は実施された特徴、数字、ステップ、動作、構成要素、部分品、またはこれらを組み合わせたものが存在することを指定しようとするものであり、一つまたはその以上の他の特徴や数字、ステップ、動作、構成要素、部分品、またはこれらを組み合わせたものの存在または付加可能性を予め排除しないことと理解されるべきである。
【００２６】
各ステップにおいて、識別符号（例えば、ａ、ｂ、ｃなど）は説明の便宜のために使われるものであって、識別符号は各ステップの順序を説明するものでなく、各ステップは文脈上、明白に特定順序を記載しない以上、明記した順序と異なるように起こることがある。即ち、各ステップは明記した順序と同一に起こることもあり、実質的に同時に遂行されることもあり、反対の順に遂行されることもある。
【００２７】
本発明はコンピュータにより読取できる記録媒体にコンピュータにより読取できるコードとして具現されることができ、コンピュータにより読取できる記録媒体はコンピュータシステムにより読取できるデータが格納される全ての種類の記録装置を含む。コンピュータにより読取できる記録媒体の例には、ＲＯＭ、ＲＡＭ、ＣＤ−ＲＯＭ、磁気テープ、フロッピーディスク、光データ格納装置などがある。
【００２８】
ここに使われる全ての用語は異なるように定義されない限り、本発明が属する分野で通常の知識を有する者により一般的に理解されることと同一な意味を有する。一般的に使われる辞典に定義されている用語は、関連技術の文脈上の意味と一致するものとして解析されなければならず、本出願で明白に定義しない限り、理想的であるか、または過度に形式的な意味を有するものとして解析できない。
【００２９】
図１は、本発明の一実施形態に係るユーザ位置情報処理システムを説明する図である。
【００３０】
図１を参照すると、ユーザ位置情報処理システム１００は、位置情報処理サーバー１１０、位置情報要請端末１３０、及び位置情報提供端末１５０を含む。
【００３１】
位置情報処理サーバー１１０は、位置情報要請端末１３０にネットワークを介して位置情報提供端末１５０の位置情報を提供するコンピュータまたはプログラムに該当するサーバーで具現できる。
【００３２】
位置情報要請端末１３０は、スマートフォン、ノートブック、またはコンピュータで具現されることができ、必ずこれに限定されるものではなく、タブレットＰＣなど、多様なデバイスでも具現できる。位置情報要請端末１３０は、位置情報処理サーバー１１０とブルートゥース（登録商標）、ＷｉＦｉなどを介して無線で連結されることができ、位置情報要請者の要請によって位置情報処理サーバー１１０から位置情報を受信することができる。
【００３３】
位置情報提供端末１５０は、スマートフォンまたはタブレットＰＣなどの携帯可能なデバイスで具現されることができ、必ずこれに限定されるものではなく、位置測定センサーＧＰＳ１５１を含む多様なデバイスでも具現できる。
【００３４】
位置情報提供端末１５０は、位置情報処理サーバー１１０とブルートゥース（登録商標）、ＷｉＦｉなどを介して無線で連結されることができ、位置情報要請者の要請によって位置処理エージェントを設置し、位置処理エージェントを通じて位置情報処理サーバー１１０に位置情報を提供することができる。
【００３５】
図２は、図１の位置情報処理サーバーを説明するブロック図である。
【００３６】
図２を参照すると、位置情報処理サーバー１１０は、エージェント設置部２１０、承認要請管理部２３０、位置情報要請部２５０、位置情報受信部２７０、及び制御部２９０を含む。
【００３７】
エージェント設置部２１０は、位置情報提供端末１５０に位置処理エージェントを設置することができる。位置処理エージェントは、位置情報提供端末１５０に含まれた位置測定センサー１５１を制御することができるプログラムで具現されることができ、バックグラウンドで実行されるプロセスで具現できる。
【００３８】
一実施形態で、位置処理エージェントは位置情報提供端末１５０のバッテリー充電量、位置情報要請端末１３０の位置要請類型、及び位置情報受信以後経過時間のうち、少なくとも一つに基づいて位置測定センサー１５１の消費電力を制御することができる。位置処理エージェントは、バッテリー充電量が特定基準以下の場合には、位置情報提供端末１５０の位置測定センサー１５１に電源を供給しないようにすることによって、消費電力を制御することができる。
【００３９】
位置情報要請端末１３０の位置要請類型は、現在時点の以後の位置情報提供端末１５０の位置を特定時間の間リアルタイムに要請する場合、特定周期毎に要請する場合、及び現在時点での位置のみを要請する場合のうち、いずれか一つに該当することができる。
【００４０】
位置処理エージェントは、位置要請類型によって位置情報提供端末１５０の位置測定センサー１５１の電源供給を遮断して消費電力を制御することができる。位置処理エージェントは、位置情報を位置情報処理サーバーに提供した時点以後、特定時間が経過した場合には、位置測定センサー１５１の電源供給を遮断して消費電力を制御することができる。
【００４１】
承認要請管理部２３０は、位置情報要請端末１３０と位置情報提供端末１５０を連結して以後位置情報受信が容易でかつ安全になされるようにすることができる。承認要請管理部２３０は、位置情報要請端末１３０から承認要請を受信することができ、位置情報提供端末１５０に承認要請の許諾のためのメッセージを提供することができる。
【００４２】
ここで、承認要請は位置情報要請端末１３０と位置情報提供端末１５０を連結するための承認要請であることがあり、位置情報提供端末１５０に対して位置情報提供に関する許諾を求める承認要請であることがあり、端末間の連結及び位置提供に関する承認要請を全て含むことができる。
【００４３】
一実施形態で、承認要請管理部２３０は位置情報要請端末１３０から少なくとも一つの位置情報提供端末１５０に関する承認要請を受信し、少なくとも一つの位置情報提供端末１５０に承認要請の許諾を承認するリンクメッセージを提供することができる。
【００４４】
ここで、リンクメッセージは位置情報提供者がメッセージに含まれたリンクをクリックすることによって、承認要請の許諾を確定することができるようにする。リンクメッセージは、位置情報提供者の意思を明確に確認し、リンククリック行為を必須要件として安全な連結関係を形成するようにすることができる。
【００４５】
位置情報要請部２５０は、位置情報要請端末１３０から位置要請が受信されれば、該当位置処理エージェントに該当位置情報を要請することができる。一実施形態で、位置情報要請部２５０は位置要請の受信時点が最近の位置要請の提供時点から第１特定時間以内の場合には、特定位置情報提供端末１５０の最近の位置情報を提供することができる。
【００４６】
ここで、第１特定時間は位置情報要請者により位置情報要請端末１３０で設定されることができ、位置情報処理サーバー１１０によりサーバー性能及びネットワーク状態などを考慮して自動に設定できる。
【００４７】
位置情報要請部２５０は、特定時間間隔以内の連続した位置要請に対しては位置情報提供者の移動が不可能であるか、または位置変更がないと仮定し、位置処理エージェントに位置情報を要請する代わり、位置情報提供端末１５０の最近の位置情報を提供することができる。
【００４８】
一実施形態で、位置情報要請部２５０は位置要請の受信時点が最近の位置要請の提供時点から第１特定時間より大きい第２特定時間以内の場合には、特定位置情報提供端末１５０の移動場所の特性を決定して特定位置情報提供端末１５０の最近の位置情報を提供するか否か、または該当位置処理エージェントから新しく位置情報を受信するか否かを決定することができる。
【００４９】
ここで、第２特定時間は第１特定時間よりは長い時間であることがあり、位置情報提供者の位置移動可能性が存在する時間範囲に該当することができる。第２特定時間は位置情報要請者により位置情報要請端末１３０で設定されることができ、位置情報処理サーバー１１０によりサーバー性能及びネットワーク状態などを考慮して第１特定時間より長い特定時間に自動設定できる。
【００５０】
位置情報要請部２５０は、位置情報要請者が設定した移動場所の特性を用いることができ、位置情報提供者の以前場所利用記録を考慮して自動に決定された移動場所の特性を用いることができる。移動場所の特性とは、場所によって位置情報提供者が留まる可能性が高い時間範囲を意味する。
【００５１】
より詳しくは、位置情報提供端末１５０の位置は移動場所が学校の場合、学校授業が終わるまで一定である。学校授業が進行中の時点で位置情報要請者の位置要請がある場合、位置情報要請部２５０は位置情報提供端末１５０の最近の位置情報を提供するように決定することができる。移動場所が学院の場合、学院授業終了前まで位置情報要請部２５０は位置情報提供端末１５０の最近の位置情報を提供するように決定することができる。移動場所がコーヒー専門店の場合には、状況によって位置情報提供端末１５０の位置変動可能性があるので、位置情報要請部２５０は位置処理エージェントから新しく位置情報を受信するように決定することができる。
【００５２】
位置情報受信部２７０は、位置処理エージェントから位置情報提供端末１５０の位置情報を受信することができる。位置処理エージェントは、位置情報提供端末１５０の位置情報を位置測定センサー１５１から獲得することができる。
【００５３】
位置処理エージェントは、位置情報処理サーバー１１０から位置情報要請がある場合、位置測定センサー１５１に電源を供給できるか否かを確認した後、位置測定センサー１５１を作動させて該当位置情報を獲得することができる。
【００５４】
一実施形態で、位置情報受信部２７０は位置測定センサー１５１の故障によって位置測定センサー１５１の制御が失敗すれば、該当位置情報提供端末１５０と関連した少なくとも一つの基地局に関する識別子と該当基地局からの信号受信強さを受信して該当位置情報提供端末１５０の位置を次の数２に基づいて推定することができる。
【００５５】
【数２】
2018157536.tif 000004
【００５６】
ここで、Ｌは該当位置情報提供端末１５０の推定位置、Ｌｉは基地局ｉの位置、Ｄｉは該当位置情報提供端末１５０の最近の位置と基地局ｉとの間の距離、ｋは相関係数、Ｓｉは基地局ｉからの信号受信強さ、ｍａｘ｛Ｓｉ｝は基地局ｉからの信号受信強さのうち、最も大きい信号受信強さに該当する。
【００５７】
位置情報受信部２７０は、位置測定センサー１５１の故障によって該当位置情報提供端末１５０の位置情報獲得が不可能な場合、該当位置情報提供端末１５０と通信可能な基地局のうち、最も信号の強さが大きい基地局を決定し、該当位置情報提供端末１５０の最近の位置情報に基づいて該当基地局との距離、該当基地局での信号受信強さ及び該当基地局の位置を用いて該当位置情報提供端末１５の現在位置を推定することができる。推定された位置は、該当基地局位置を中心に円形の特定地域範囲に該当することができる。
【００５８】
一実施形態で、位置情報受信部２７０は位置測定センサー１５１のバッテリー不足によって制御が失敗すれば、該当位置処理エージェントに現在位置の入力を要求する位置要請メッセージを提供することができる。
【００５９】
位置測定センサー１５１への電源供給はバッテリー消耗が多いので、該当位置情報提供端末１５０の電源供給が中断される危険を予防するために、それよりバッテリー消耗が少ないメッセージ転送を通じて該当位置情報提供端末１５０の位置を獲得することができる。ここで、位置要請メッセージは文字メッセージまたはプッシュお知らせメッセージに該当することができ、警告音または振動と共に提供できる。
【００６０】
一実施形態で、位置情報受信部２７０は受信された位置情報がユーザにより指定された安心ゾーンを離脱するか、またはユーザにより指定された非安心ゾーンに進入した場合には、位置情報要請端末１３０にお知らせメッセージを提供することができる。
【００６１】
ここで、安心ゾーンは位置情報提供者の位置が該当ゾーンの内部にある場合、位置情報要請者が特別な関心を払う必要がない程度に安全が確保された場所を意味する。非安心ゾーンは、位置情報提供者の位置が該当ゾーンの内部にある場合、位置情報要請者が位置情報提供者の安全に特別な関心を払う必要がある程度に危険な場所を意味する。安心ゾーンまたは非安心ゾーンは、位置情報要請者により位置情報要請端末１３０で設定されることができ、位置情報処理サーバー１１０で過去設定記録により自動に設定されることもできる。
【００６２】
一実施形態で、位置情報受信部２７０は受信された位置情報が該当位置での最初受信時点から第３特定時間の間変化がない場合には、位置情報要請端末１３０にお知らせメッセージを提供することができる。ここで、第３特定時間は位置情報要請者により位置情報要請端末１３０で設定されることができ、位置情報要請者が設定した移動場所の特性を用いるか、または位置情報提供者の以前場所利用記録を考慮して自動に設定できる。
【００６３】
位置情報受信部２７０は、該当位置の特性を考慮して一定時間の間位置情報提供者の位置に変化がない場合、位置情報提供者が危険な状況に置かれている可能性があると判断することができる。お知らせメッセージは、文字メッセージまたはプッシュお知らせメッセージに該当することができ、警告音または振動と共に提供できる。
【００６４】
制御部２９０は位置情報処理サーバー１１０の全体的な動作を制御し、エージェント設置部２１０、承認要請管理部２３０、位置情報要請部２５０、位置情報受信部２７０の間の制御流れまたはデータ流れを管理することができる。
【００６５】
図３は、図２の位置情報処理サーバーで位置情報提供端末の位置情報を受信する過程を説明するフローチャートである。
【００６６】
図３を参照すると、位置情報処理サーバー１１０は、エージェント設置部２１０を通じて位置情報提供端末１５０に位置処理エージェントの設置を要請することができる（ステップＳ３１０）。
【００６７】
一実施形態で、位置情報処理サーバー１１０は位置情報要請端末１３０の位置処理エージェントの設置要請を受信した場合、エージェント設置部２１０を通じて位置情報提供端末１５０に位置処理エージェントの設置を要請することができる。
【００６８】
位置処理エージェントは、位置情報処理サーバー１１０の設置要請がない場合にも位置情報提供端末１５０に設置されることもできる。より詳しくは、位置情報要請端末１３０は位置情報処理サーバー１１０に位置処理エージェントの設置を要請することができ、位置情報提供端末１５０に設置要請メッセージを転送することもできる。ここで、設置要請メッセージは文字メッセージまたはＥメールでありうるが、必ずこれに限定されるものではなく、通信可能な端末の間の多様な通信方法により転送可能なメッセージでありうる。位置情報提供端末１５０は、設置要請メッセージに含まれたリンクをクリックして位置処理エージェントを設置することができる。
【００６９】
位置情報処理サーバー１１０は、承認要請管理部２３０を通じて位置情報要請端末１３０から承認要請を受信し、位置情報提供端末１５０に承認要請の許諾を承認するリンクメッセージを提供することができる（ステップＳ３２０）。
【００７０】
位置情報処理サーバー１１０は、位置要請を受信した場合、位置情報要請部２５０を通じて位置処理エージェントに位置情報を要請することができる（ステップＳ３３０）。
【００７１】
位置情報処理サーバー１１０は、位置情報受信部２７０を通じて位置処理エージェントから該当位置情報提供端末１５０の位置情報を受信することができる（ステップＳ３４０）。
【００７２】
一実施形態で、位置情報受信部２７０は受信された位置情報が最近の位置、時点、及び位置情報提供端末１５０のユーザの状態情報のうち、少なくとも一つに基づいて移動可能領域に存在しない場合には、該当位置処理エージェントに該当位置情報を再要請することができる。
【００７３】
位置情報提供者の状態情報は、年齢、身体状態、及び精神状態を含むことができる。具体的に見ると、位置情報提供者は高齢の老弱者、幼い子供、体が不自由な者、及び精神が不完全な者に該当することができる。
【００７４】
位置情報受信部２７０は、最近の位置及び時点を基準に位置情報提供者の状態を考慮して移動可能な地域の範囲を計算することができる。位置情報受信部２７０は、位置情報提供者の現在位置が該当地域範囲から外れた場合であれば、位置測定が誤った場合に該当することがあるので、位置処理エージェントに位置情報を再要請することができる。
【００７５】
図４は、図１の位置情報処理サーバーから位置情報要請端末に位置情報提供端末の位置情報を提供する過程の一実施形態を説明する図である。
【００７６】
図４を参照すると、位置情報要請端末１３０は位置情報処理サーバー１１０から受信した位置情報提供端末１５０の位置情報をディスプレイ装置に表示することができる。
【００７７】
より詳しくは、位置情報処理サーバー１１０は、位置情報要請端末１３０の位置要請を受信すれば、位置情報提供端末１５０の位置処理エージェントを通じて位置情報提供端末１５０の現在位置情報を受信することができる。位置情報処理サーバー１１０は、位置情報提供端末１５０の現在位置情報を位置情報要請端末１３０に提供することができる。位置情報要請端末１３０は、位置情報を位置情報要請者が容易に把握することができるように、地図マップ上に表示することができる。
【００７８】
図４は、位置情報要請者により学校（Ｓｃｈｏｏｌ）が安心ゾーンに設定されており、位置情報提供端末１５０の位置が安心ゾーンを離脱した場合、お知らせメッセージを送るように設定されている形態を示す。地図マップ上には位置情報提供端末１５０の現在位置、安心ゾーンに設定された地域の範囲、及び設定距離などが表示できる。
【００７９】
前記では本発明の好ましい実施形態を参照して説明したが、該当技術分野の熟練した当業者は以下の特許請求範囲に記載された本発明の思想及び領域から逸脱しない範囲内で本発明を多様に修正及び変更させることができることを理解することができる。
【符号の説明】
【００８０】
１００    位置情報処理システム
１１０    位置情報処理サーバー
１３０    位置情報要請端末
１５０    位置情報提供端末
１５１    位置測定センサー
２１０    エージェント設置部
２３０    承認要請管理部
２５０    位置情報要請部
２７０    位置情報受信部
２９０    制御部
【図１】
2018157536.tif 000006
【図２】
2018157536.tif 000007
【図３】
2018157536.tif 000008
【図４】
2018157536.tif 000009